(57)【要約】【課題】足の裏を刺激したり、滑り止めやクッション性を用途に応じて変更しうるようにした靴下、サポータ、スパッツ及びタイツ類とその製造方を提供するものである。【解決手段】靴下の外面に面状ファスナーを設けた結合部材を敷設するとともに、該結合部材に着脱自在で面状ファスナーを設けた被結合部材を付設したことを特徴とする靴下、サポータ、スパッツ及びタイツ類を構成するものである。【選択図】図１
2011032600.tif 000002
【特許請求の範囲】
【請求項１】
靴下の外面に面状ファスナーを設けた結合部材を敷設するとともに、該結合部材に着脱自在で面状ファスナーを設けた被結合部材を付設したことを特徴とする靴下、サポータ、スパッツ及びタイツ類。
【請求項２】
前記結合部材は、靴下の爪先部分から踵部分まで、全横幅にわたって敷設しうる請求項１記載の靴下、サポータ、スパッツ及びタイツ類。
【請求項３】
前記結合部材は、柔軟部材と該柔軟部材の表面に面状ファスナーを設けた部材とからなる請求項１又は請求項２記載の靴下、サポータ、スパッツ及びタイツ類。
【請求項４】
前記被結合部材には滑り止めの突起を設けた請求項１ないし請求項３のいずれかに記載の靴下、サポータ、スパッツ及びタイツ類。
【請求項５】
靴下、サポータ、スパッツ及びタイツ類の外面に面状ファスナーを設けた結合部材を刺繍ミシンで敷設するとともに、該結合部材に着脱自在で面状ファスナーを設けた被結合部材を製作したことを特徴とする靴下、サポータ、スパッツ及びタイツ類の製造方法。
【請求項６】
靴下の編成工程において、爪先をかがり縫いする前の段階で靴下の爪先が開いている状態で、ミシンヘッドで上下往復駆動される針と、筒形ベッド内で回転駆動される釜との作動により、靴下、サポータ、スパッツ及びタイツ類に結合部材Ｐが縫製される請求項5記載の靴下、サポータ、スパッツ及びタイツ類の製造方法。
【請求項７】
枠張り装置の枠本体の本体枠孔に支持枠の下枠を嵌め込み、靴下、サポータ、スパッツ及びタイツ類の開口部を前記枠本体の先端部から着装し、ついで、上枠の枠孔で靴下、サポータ、スパッツ及びタイツ類を押圧しながら前記下枠の枠孔に嵌込み、ついで前記枠張り装置の枠本体の下方に設けられた押圧装置で靴下、サポータ、スパッツ及びタイツ類の下方開口端を押し込み反転させながら、前記上枠の枠孔と下枠の枠孔の嵌め込み縁にサポータ、スパッツ及びタイツ類の下方開口端が係合滞留されることにより、前記上枠の枠孔と下枠の枠孔に靴下、サポータ、スパッツ及びタイツ類の上方編地を現出させ、刺繍枠に支持枠を装着し、ミシンヘッドで上下往復駆動される針と、筒形ベッド内で回転駆動される釜との作動により、靴下、サポータ、スパッツ及びタイツ類に結合部材Ｐが縫製される請求項5記載の靴下、サポータ、スパッツ及びタイツ類の製造方法。
【発明の詳細な説明】
【技術分野】
【０００１】
本発明は足の裏を刺激したり、滑り止めやクッション性を有する靴下、サポータ、スパッツ及びタイツ類とその製造方法に関するものである。
【背景技術】
【０００２】
従来、ハイヒールの靴を履く際に、爪先の指の付け根部分にかかる体重の負担を軽減させるようにした婦人用ソックスは公知である。
上記婦人用ソックスは、ソックス爪先部の前方足底部にだけクッション材を編成して、厚みを付与したハイヒール用婦人用ソックスを構成するものである。（例えば特許文献１）。
【特許文献１】実用新案登録第３１０７０８８号公報
【０００３】
そのため、爪先部の指の付け根部分が、クッション材によって完全に保護されるものであるが、クッション材が靴下に編成されているので、単一の用途に用いられるに過ぎない。
【０００４】
また、部分的にパイル編にしたソックスも公知である（例えば特許文献２）。
【特許文献２】実用新案登録第３０５７１５３号公報
【０００５】
即ち、足底部先端から爪先部の成形線より下部をパイル編にしたものであり、足指先の下部部位が吸湿のよくなるようにし、その他の部位は風通しをよくして、蒸れないようにしたソックスを提供するものであり、パイル編部分はソックスと一体であり、他の用途に用いることができない。
【０００６】
更に、足底部内面の指先部位と踵部位に多数の小突起を形成し、脳下垂体や副鼻腔や眼や耳の疾患に効果のあるつぼに、心地よい刺激を与えるようにした健康促進用ソックスも公知である（例えば特許文献３）。
【特許文献３】実用新案登録第３１０５２７７号公報
【０００７】
また、ソックスの足底部の内面に多数の弾性を有する突起を形成し、足の裏を刺激しうるソックスも公知である（例えば特許文献４）。
【特許文献４】実用新案登録第３０９１００６号公報
【０００８】
このソックスは、健康に寄与するものとして利用できるが、滑り止めやクッション性を具備していない。
【０００９】
足底部分を凹凸模様からなる柄編組織に編成し、滑らないように足の裏に密着させた靴下も公知である（例えば特許文献５）。
【特許文献５】実用新案登録第３０５８７８３号公報
【００１０】
即ち、靴下は、足甲部と身部及び爪先部と踵部がいずれも縦縞組織であるが、足底は格子の凹凸模様からなる柄編組織にして、履物との間で滑らないように足の裏に密着させたものである。
【００１１】
しかしながら、靴下は特定な編成組織で編成され、別体の編成物が着脱自在に設けられたものではない。
【発明の開示】
【発明が解決しようとする課題】
【００１２】
上記の事情に鑑み、本発明は、足の裏を刺激したり、滑り止めやクッション性を用途に応じて変更しうるようにした靴下、サポータ、スパッツ及びタイツ類とその製造方を提供することを課題とするものである。
【課題を解決するための手段】
【００１３】
本発明は、上記課題を達成するために、靴下の外面に面状ファスナーを設けた結合部材を敷設するとともに、該結合部材に着脱自在で面状ファスナーを設けた被結合部材を付設したことを特徴とする靴下、サポータ、スパッツ及びタイツ類を構成するものである。
【００１４】
本発明は、また、靴下の外面に面状ファスナーを設けた結合部材を刺繍ミシンで敷設するとともに、該結合部材に着脱自在で面状ファスナーを設けた被結合部材を製作したことを特徴とする靴下、サポータ、スパッツ及びタイツ類の製造方法を構成するものである。
【発明の効果】
【００１５】
本発明によって構成された靴下は、足の裏を刺激したり、滑り止めやクッション性を用途に応じて変更しうるようにすることができる。
【００１６】
本発明の製造方法によれば、面状ファスナーを設けた被結合部材を結合部材に着脱自在に敷設したから、用途に応じて足の裏を刺激したり、滑り止めやクッション性を変更しうるようにすることができる。
【発明を実施するための最良の形態】
【００１７】
以下、本発明の実施形態を説明する。
本発明は、靴下、サポータ、スパッツ及びタイツ類の足底に用いる。しかし、本発明は、その他の紳士用、婦人用、子供用靴下にも適用できる。また短靴下に限らず、ハイソックス、オーバーニー、ストッキング、タイツ或いはアンクレット、フートカバーにも適用できる。
【００１８】
(実施例)
本発明の靴下にクッション性を有する部材を適用するには、先ず靴下の外面に面状ファスナーを設けた結合部材を敷設する。
結合部材として、厚さ０．１ないし１．０ｃｍの低反発性ポリウレタン、合成ゴムに、雄型(雌型)面状ファスナーを接着するか、または天然繊維、合成繊維からなるにパイル編、ゴム編の生地に、雄型(雌型)面状ファスナーを接着または縫合したものが好ましい。その他、厚さ０．１ないし１．０ｃｍの低反発性ポリウレタン、合成ゴムに、天然繊維、合成繊維からなるにパイル編、ゴム編、バルキー編の生地を接着し、これに雄型(雌型)面状ファスナーを接着または縫合したものにすることもできる。
【００１９】
これらの結合部材Ｐを靴下に取り付けるには、図１に示すように、靴下、サポータ、スパッツ及びタイツ類の足底１の爪先部２、土踏まず部３、踵部４に適宜の形状、寸法の結合部材Ｐを図２に示すような、内枠５と外枠６からなり、外枠６に調節部材７を設けて、図３に示すように、靴下Ｓの製造工程中に、爪先をかがり縫いする前の段階で爪先が開いている状態のとき、内枠５と外枠６との間に靴下Ｓを挟んで結合部材Ｐを手縫いまたは刺繍ミシンＭで靴下に縫いつける。
【００２０】
ミシンＭは靴下、サポータ、スパッツ及びタイツ類等の筒状の加工布に刺繍加工するために適合するものであり、図４、図５に示すように、機枠(図示せず)に略水平に支持されたテーブル１１と、テーブル１１の下にあって機枠に支持されてＸ方向に所定間隔をおいて列設された複数台の筒形ベッド１２と、各筒形ベッド１２の上方でそれぞれ前方に延びるアームの先端部に支持された複数台のミシンヘッド１３と、テーブル１１上に載置されたＸ方向に延びる駆動枠１４と、駆動枠１４をＸ方向と直角方向（Ｙ方向）に駆動するＹ方向駆動機構（図示せず)と、駆動枠１４をＸ方向に駆動するＸ方向駆動機構（図示せず)を備えている。駆動枠１４には刺繍枠１５が取り付けられており、刺繍枠１５に靴下、サポータ、スパッツ及びタイツ類が袋状に装着された支持枠１６が装着され、周知の通り、ミシンヘッド１３で上下往復駆動される針１７と、筒形ベッド１２内で回転駆動される釜（図示せず）との作動により、靴下、サポータ、スパッツ及びタイツ類Ｓに結合部材Ｐが縫製される。
【００２１】
図５、図6に示すように、支持枠１６は下枠１６１と、下枠１６１の枠孔１６２に嵌込む上枠１６３からなっている。靴下、サポータ、スパッツ及びタイツ類Ｓに結合部材Ｐを縫製するには、図７、図９示すように、枠張り装置18の枠本体１８１の本体枠孔１８２に支持枠１６の下枠１６１を嵌め込み、靴下、サポータ、スパッツ及びタイツ類Ｓの開口部を枠本体１８１の先端部から着装し、ついで、図8に示すように、上枠１６３の枠孔１６４で靴下、サポータ、スパッツ及びタイツ類Ｓを押圧しながら下枠１６１の枠孔１６２に嵌込む。
【００２２】
ついで図９，１０に示すように、枠張り装置18の枠本体１８１の下方に設けられた押圧装置１８３で靴下、サポータ、スパッツ及びタイツ類Ｓの下方開口端を押し込み反転させながら、上枠１６３の枠孔１６４と下枠１６１の枠孔１６２の嵌め込み縁１６５にサポータ、スパッツ及びタイツ類Ｓの下方開口端が係合滞留されることにより、上枠１６３の枠孔１６４と下枠１６１の枠孔１６２には靴下、サポータ、スパッツ及びタイツ類Ｓの上方編地が現出される。
【００２３】
その後、刺繍枠１５に支持枠１６を装着し、ミシンヘッド１３で上下往復駆動される針１７と、筒形ベッド１２内で回転駆動される釜（図示せず）との作動により、靴下、サポータ、スパッツ及びタイツ類Ｓに結合部材Ｐが縫製される。
なお、靴下、サポータ、スパッツ及びタイツ類Ｓに結合部材Ｐが刺繍ミシンＭで縫製される例を示したが、爪先をかがり縫いする前の段階で靴下の爪先が開いている状態で、ミシンヘッドで上下往復駆動される針と、筒形ベッド内で回転駆動される釜との作動により、靴下、サポータ、スパッツ及びタイツ類に結合部材Ｐが縫製されてもよい。その他のオーバ−ロックミシン等の通常のミシンでも靴下に縫いつけられる。
【００２４】
被結合部材としては、爪先部には、図１１に示すように、厚さ０．５ないし１．２ｃｍ、上面の直径１．５ないし２．０ｃｍ、下面の直径２．５ないし３．０ｃｍの円錐台形の低反発性ポリウレタン、合成ゴム２１に、天然繊維、合成繊維からなるに袋状編地２２を被覆し、この袋状編地２２に、雌型(雄型)面状ファスナーＦを接着または縫合したものが好ましい。
【００２５】
その他、図１２に示すように、図１１に示すものと同様に厚さ０．５ないし１．２ｃｍ、上面の直径１．５ないし２．０ｃｍ、下面の直径２．５ないし３．０ｃｍの円錐台形の低反発性ポリウレタン、合成ゴム２１に、直接雄型(雌型)面状ファスナーＦを接着したものにすることもできる。
【００２６】
なお、被結合部材として、土踏まず部には厚さ１．０ないし２．０ｃｍの厚さの高い円錐台形の低反発性ポリウレタン、合成ゴムを用いることが好適である。
【００２７】
また、被結合部材ＨＰとして爪先部または踵部に、厚さ０．０ないし１．０ｃｍの平板形の低反発性ポリウレタン、合成ゴムに多数の半球状からなる小突起を形成させてもよい。突起は、セラミックス入りの軟質合成樹脂製のものであってもよい。
【００２８】
結合部材Ｐに面状ファスナーを設けた被結合部材ＨＰを着脱自在にを付設することにより、疲労が蓄積しやすい体を支え移動する足、特に足底は、マッサージ作用によって、血行を促進させ健康、治療を促進する効果を奏する。また、足底の壷に心地よい刺激を与えることができる。
【００２９】
被結合部材としては、爪先部には、天然繊維、合成繊維からなるにパイル編地を編成し、これに、雌型(雄型)面状ファスナーを接着または縫合したものであってもよい。爪先部にパイル編地からなるクッションを結合部材に結合してもよい。
【００３０】
このようにクッション材の部分は、２倍以上の厚みを付与して、体重の負担を受け止めうるようにし、爪先部の指の付け根部分が、クッション材によって完全に保護される。
【００３１】
被結合部材としては、柄編組織、例えばあぜ編、あるいはリブ編等からなる、凹凸模様のものであってもよい。
【図面の簡単な説明】
【００３２】
【図１】本発明の靴下の底部の一実施例を示す平面図である。
【図２】本発明の刺繍枠の一実施例を示す斜視図である。
【図３】本発明の刺繍枠に靴下を装着した一実施例を示す斜視図である。
【図４】本発明の刺繍ミシンの要部の一実施例を示す斜視図である。
【図５】本発明の刺繍枠に靴下を装着した一実施例を示す斜視図である。
【図６】本発明の支持枠の一実施例を示す斜視図である。
【図７】本発明の支持枠に靴下を装着した一実施例を示す斜視図である。
【図８】本発明の上枠に靴下を装着した一実施例を示す斜視図である。
【図９】本発明の枠張り装置の枠本体に靴下を装着した一実施例を示す斜視図である。
【図１０】本発明の押圧装置で靴下を上枠と下枠の枠孔の嵌め込み縁にサポータ、スパッツ及びタイツ類が係合滞留されている状態を示す斜視図である。
【図１１】（ａ）は本発明の被結合部材の一実施例を示す平面図、（ｂ）は同側面図である。
【図１２】本発明の被結合部材の一実施例を示す側面図である。
【符号の説明】
【００３３】
１   足底
２   爪先部
３   土踏まず部
４   踵部
５    内枠
６    外枠
７    調節部材
８   爪先部
１１  テーブル
１２  ベッド
１３  ミシンヘッド
１４  駆動枠
１５  刺繍枠
１６  支持枠
１７  針
Ｐ  結合部材
ＨＰ被結合部材
Ｓ  靴下
Ｍ  刺繍ミシン
【図１】
2011032600.tif 000003
【図２】
2011032600.tif 000004
【図３】
2011032600.tif 000005
【図４】
2011032600.tif 000006
【図５】
2011032600.tif 000007
【図６】
2011032600.tif 000008
【図７】
2011032600.tif 000009
【図８】
2011032600.tif 000010
【図９】
2011032600.tif 000011
【図１０】
2011032600.tif 000012
【図１１】
2011032600.tif 000013
【図１２】
2011032600.tif 000014